(57)【要約】【課題】パネル体から食み出ることなく、そして汎用性があり、しかも、取付けの作業性に優れ、さらに、開扉された扉を自動的に閉扉することができるようにした蝶番を提供する。【解決手段】この蝶番は、一定の間隔をあけて配置される一対の転動体２２，２２と、該各転動体２２，２２の転動によって往復動する可動駒２１と、前記一対の転動部２２ａ，２２ａを転動自在に連結する連結体２４とを備えている。前記連結体には収納部２４ｄが設けられている。この収納部２４ｄは、転動体２２および可動駒２１との対向する部分に、転動体２２の回転中心を中心として環状に一対形成される。この収納部２４ｄ内に中立位置から変位した前記可動駒２１を中立位置に復帰させるバネ２５が収納されている。このバネ２５は、例えば渦巻きバネ２５であり、一端が前記転動体に固定され、他端が前記連結体２４に固定され、前記連結体２４に設けられた収容部内に収納されている。【選択図】図４
2007332633.tif 000002
【特許請求の範囲】
【請求項１】
先端に転動部が設けられ、該転動部が一定の間隔をあけて配置された一対の転動体と、該一対の転動体の転動部に挟まれ、該転動部が転動することによって往復動する可動駒と、前記一対の転動体を転動自在に連結する連結体とを備え、
前記連結体に収納部が設けられ、該収納部内に中立位置から変位した前記可動駒を中立位置に復帰させるバネが収納されていることを特徴とする蝶番。
【請求項２】
前記連結体に設けられた収納部は、前記転動体および可動駒と対向する部分に、転動体の各回転中心を中心として環状に一対形成され、
前記バネは、前記収容部内に収納される渦巻きバネであり、一端が前記転動体に固定され、他端が前記連結体に固定されていることを特徴とする請求項１に記載の蝶番。
【請求項３】
前記連結体に設けられた収納部は、前記可動駒の相対面と対向するほぼ中央部に、可動駒の移動方向と同じ方向に直線状に一対形成され、
前記可動駒は、前記収納部内に突出した突出片を移動方向の中間に備え、
前記バネは、前記突出片を挟んで前記各収容部内に一対ずつ収納される圧縮バネまたは引張りバネであることを特徴とする請求項１に記載の蝶番。
【請求項４】
前記連結体に設けられた収納部は、前記転動体と対向する面両端部に、転動体の回転中心を中心として円弧状に一対形成され、
前記各転動体は、前記収納部内に突出した突出片を揺動方向の中間に備え、
前記バネは、前記突出片を挟んで前記各収容部内に一対ずつ収納される圧縮バネまたは引張りバネであることを特徴とする請求項１に記載の蝶番。
【請求項５】
前記可動駒の両側面には、ラックが形成され、かつ、前記各転動体の転動部には、該ラックと噛合するピニオンが形成されてなることを特徴とする請求項１ないし４のいずれか一つに記載の蝶番。
【請求項６】
前記連結体は、両端部が前記可動駒の両側面から突出し、かつ、中間部が該可動駒の相対面と当接するように設けられた一対の連結板と、前記転動体を支持し、かつ、前記連結板の両端部を連結する一対のピンとを備えてなることを特徴とする請求項１から５のいずれか一つに記載の蝶番。
【請求項７】
前記可動駒と連結体の連結板との各接合面には、スライド自在な嵌合部が設けられてなることを特徴とする請求項１から６のいずれか一つに記載の蝶番。
【請求項８】
前記転動体は、前記転動部を先端部に設けた支持部と、該支持部の基端部に設けられたフランジ部とが一体に成形されたものであることを特徴とする請求項１から７のいずれか一つに記載の蝶番。
【発明の詳細な説明】
【技術分野】
【０００１】
本発明は、例えば、折戸のように２枚の扉を連結するための蝶番に関し、詳しくは、開扉した扉が自動的に閉扉するようにした蝶番に関する。
【背景技術】
【０００２】
２枚の扉を連結するための蝶番が各種提供されているが、扉の開閉に際して、閉扉時の仕切り性を優れたものとした蝶番が特許文献１に開示されている。
【０００３】
この蝶番は、図４２ないし図４４に示すように、２枚の扉１００，１００が突き合う側端面に取り付けられている。各扉１００は、矩形板状の中実なパネル体１０１と、このパネル体１０１の一端（壁）側に固定されたフレーム１０２とを有し、他端（内）側に支柱体１１１が固定されている。
【０００４】
このような扉１００に取り付けられる蝶番１１０は、前記支柱体１１１と、図４３に示すように、この支柱体１１１それぞれの上端および下端に固着された平歯車１１２と、付き合わされて対向する一対の平歯車１１２，１１２同士を噛合させる連結板１１３とを備えている。
【０００５】
また、各支柱体１１１がパネル体１０１と接合する取付け面には、図４４に示すように、２本の突起条１１１ａ，１１１ａが鉛直方向に突設され、パネル体１０１が支柱体１１１と接合する取付け面には、２本の溝１０１ａ，１０１ａが形成されている。この２本の突起条１１１ａ，１１１ａと２本の溝１０１ａ，１０１ａとが嵌合し、さらに支柱体１１１からパネル体１０１にビス１０３がねじ込まれることにより、両者１１１，１０１が固定される。こうすることにより、パネル体１０１が木製で湿気などによって収縮しても、各平歯車１１２が捩れることなくスムーズに噛合するようにされている。
【０００６】
【特許文献１】特許第２７２８６４２号公報
【発明の開示】
【発明が解決しようとする課題】
【０００７】
特許文献１に開示された蝶番１１０は、開扉したときに、２枚のパネル体１０１が完全に重なり合うようにするため、平歯車１１２の外径がパネル体１０１の板厚よりも大きく、歯が食み出ている。しかし、平歯車１１２の歯がパネル体１０１から食み出ることにより、塵埃などが一対の平歯車１１２，１１２の間に入り、扉１００，１００がスムーズに開閉できなくなることがある。また、平歯車１１２は、耐久性に優れているとはいえず、折戸のように重量のある扉１００，１００が長期間開閉されていると、疲労し、破壊することもある。
【０００８】
加えて、特許文献１に開示された蝶番１１０は、支柱体１１１を構成要件としている。支柱体１１１は、パネル体１０１の高さや幅と一致するように個別に製造される。したがって、この蝶番１１０は、汎用性がなく、コストダウンを図ることが困難である。
【０００９】
さらに、支柱体１１１とパネル体１０１とには、２本の突起条１１１ａ，１１１ａと２本の溝１０１ａ，１０１ａとが形成されている。しかし、これら１１１ａ，１０１ａを形成する作業が面倒であるだけでなく、両者１１１ａ，１０１ａを嵌合しなければならないなど容易に取り付けることができない。
【００１０】
そして、特許文献１に開示された蝶番１１０は、扉１００，１００が開けられると、開扉した状態が維持される。しかし、場所によっては、開扉した扉１００，１００が自動的に閉扉するようにしたい場合がある。一般的なドアクローザに備えられた自閉機能をこの特許文献１に開示されたような蝶番に備えることは、構成が全く異なることから困難である。したがって、特許文献１に開示された蝶番１１０は、改良して、自動的に閉扉させるようにすることができない。
【００１１】
そこで、本発明は、パネル体から食み出ることなく、そして汎用性があり、しかも、取付けの作業性に優れ、さらに、開扉された扉を自動的に閉扉することができるようにした蝶番を提供することを課題とする。
【課題を解決するための手段】
【００１２】
本発明に係る蝶番は、先端に転動部が設けられ、該転動部が一定の間隔をあけて配置された一対の転動体と、該一対の転動体の転動部に挟まれ、該転動部が転動することによって往復動する可動駒と、前記一対の転動体を転動自在に連結する連結体とを備え、前記連結体に収納部が設けられ、該収納部内に中立位置から変位した前記可動駒を中立位置に復帰させるバネが収納されていることを特徴としている。
【００１３】
この蝶番によれば、一対の転動体は、バネを収納する収納部を設けた連結体に連結され、一定の間隔に維持された状態で、転動部が可動駒の各側面上を転動する。例えば、一方の転動体が一方の扉に固定され、他方の転動体が他方の扉に固定されて使用される蝶番において、両方の扉の一方の同じ面同士が対峙して重なり合って開扉しているときは、一対の転動体の転動部が可動駒を一端側で挟み、両方の扉が一直線に並んで閉扉しているときは、一対の転動体の転動部が可動駒を中間で挟み、両方の扉の他方の同じ面同士が対峙して重なり合って前記と反対方向に開示しているときは、一対の転動体の転動部が可動駒を他端側で挟む。換言すれば、可動駒が一対の転動体の転動部の間を移動することにより、転動体が揺動し、扉が開閉する。
【００１４】
あるいは、一方の転動体が扉に固定され、他方の転動体が壁に固定されて使用される蝶番において、扉が壁の一方の面と対峙して重なり合って開扉しているときは、一対の転動体の転動部が可動駒を一端側で挟み、扉が壁と同じ方向に並んで閉扉しているときは、一対の転動体の転動部が可動駒を中間で挟み、扉が扉の他方の面と対峙して重なり合って開扉しているときは、一対の転動体の転動部が可動駒を他端側で挟む。したがって、この場合は、壁に固定された転動体上を可動駒が公転し、この可動駒上を扉に固定された転動体が３６０°公転する。
【００１５】
いずれにしても、可動駒が外力を加えられて中立位置から変位することにより、連結体に設けられた収納部内のバネが変形する。この中立位置から変位した可動駒は、外力が加えられなくなることにより、バネが元の状態に戻ろうとする復元力によって中立位置に復帰する。可動駒が中立位置に復帰するときに、転動体の転動部が可動駒上を転動するため、転動体が初期の位置に戻る。転動体に扉が固定されている場合において、力が加えられて開扉した扉は、力が加えられなくなることによって自動的に閉扉する。なお、この蝶番は、扉だけでなく、小物入れや家具などにも使用することができる。
【００１６】
また、前記本発明に係る蝶番において、前記連結体に設けられた収納部は、前記転動体および可動駒と対向する部分に、転動体の各回転中心を中心として環状に一対形成され、前記バネは、前記収容部内に収納される渦巻きバネであり、一端が前記転動体に固定され、他端が前記連結体に固定されていることが好ましい。
【００１７】
この蝶番によれば、バネが渦巻きバネによって構成され、連結体に備えられた収納部内に収納され、そして、一端が転動体に固定され、他端が連結体に固定されて両端が拘束されている。したがって、可動駒を挟んで一直線に並んでいる転動体に外力が加えられ、可動駒が中立位置から変位したときに、渦巻きバネは締められ、または緩められる。そして、転動体に外力が加えられなくなると、渦巻きバネの復元力により、可動駒には中立位置に戻そうとする力が加えられ、転動体の転動部が可動駒上を転動することにより、一対の転動体は可動駒を挟んで自動的に一直線に並んだ状態に戻る。
【００１８】
また、前記本発明に係る蝶番において、前記連結体に設けられた収納部は、前記可動駒の相対面と対向するほぼ中央部に、可動駒の移動方向と同じ方向に直線状に一対形成され、前記可動駒は、前記収納部内に突出した突出片を移動方向の中間に備え、前記バネは、前記突出片を挟んで前記各収容部内に一対ずつ収納される圧縮バネまたは引張りバネであってもよい。
【００１９】
この蝶番によれば、バネが一対ずつの圧縮バネまたは引張りバネによって構成され、可動駒に備えられた突出片を挟んで連結体に形成された収容部内に収納されている。したがって、可動駒を挟んで一直線上に並んでいる転動体に外力が加えられ、可動駒が移動して中立位置から変位したときに、突出片が一方の圧縮バネを圧縮し、または、突出片が一方の引張りバネを引っ張る。そして、転動体に外力が加えられなくなると、このバネの復元力により、突出片には中立位置に戻そうとする力が加えられ、転動体の転動部が可動駒上を転動することにより、一対の転動体は可動駒を挟んで自動的に一直線に並んだ状態に戻る。
【００２０】
また、前記本発明に係る蝶番において、前記連結体に設けられた収納部は、前記転動体と対向する面両端部に、転動体の回転中心を中心として円弧状に一対形成され、前記各転動体は、前記収納部内に突出した突出片を揺動方向の中間に備え、前記バネは、前記突出片を挟んで前記各収容部内に一対ずつ収納される圧縮バネまたは引張りバネであってもよい。
【００２１】
この蝶番によれば、バネが一対ずつの圧縮バネまたは引張りバネによって構成され、各転動体に備えられた突出片を挟んで連結体に形成された収容部内に収納されている。したがって、可動駒を挟んで一直線上に並んでいる転動体に外力が加えられ、転動体が転動して中立位置から変位したときに、突出片が一方の圧縮バネを圧縮し、または、突出片が一方の引張りバネを引っ張る。そして、転動体に外力が加えられなくなると、このバネの復元力により、突出片には中立位置に戻そうとする力が加えられ、転動体の転動部が可動駒上を転動することにより、一対の転動体は可動駒を挟んで自動的に一直線に並んだ状態に戻る。
【００２２】
また、前記本発明に係る蝶番において、前記可動駒の両側面には、ラックが形成され、かつ、前記各転動体の転動部には、該ラックと噛合するピニオンが形成されてなることが好ましい。
【００２３】
この蝶番によれば、可動駒に形成されたラックと転動体の転動部に形成されたピニオンとが噛合することにより、転動体は可動駒上を滑ることなく転動し、また、可動駒は転動体間を滑ることなく往復動する。
【００２４】
また、前記本発明に係る蝶番において、前記連結体は、両端部が前記可動駒の両側面から突出し、かつ、中間部が該可動駒の相対面と当接するように設けられた一対の連結板と、前記転動体を支持し、かつ、前記連結板の両端部を連結する一対のピンとを備えてなることが好ましい。
【００２５】
この蝶番によれば、可動駒が一対の連結体の連結板に挟まれ、この一対の連結板は、中間部が可動駒の相対面と当接し、両端部が可動駒の両側面から突出する。この連結板の両端部は、転動体を支持するピンによって連結される。したがって、転動体は、安定した状態で可動駒の側面上を転動する。
【００２６】
また、前記本発明に係る蝶番において、前記可動駒と連結体の連結板との各接合面には、スライド自在な嵌合部が設けられてなることが好ましい。
【００２７】
この蝶番によれば、可動駒と連結体の連結板の各接合面に設けられた嵌合部が嵌合することにより、可動駒がこの嵌合部に案内されながら連結体間を相対的に移動するだけでなく、一方の転動体から可動駒に加えられる荷重は、一旦、嵌合部に加えられ、嵌合部が緩衝材となり、他方の転動体には小さな荷重が加えられる。このため、転動体の外周面にピニオンが形成されていても、ピニオンには大きな衝撃力が加えられず、破損しないようにすることができる。なお、前記嵌合部は、１本または複数本の突条と溝とによって構成されてなることが好ましい。
【００２８】
また、前記本発明に係る蝶番において、前記転動体は、前記転動部を先端部に設けた支持部と、該支持部の基端部に設けられたフランジ部とが一体に成形されたものであることが好ましい。
【００２９】
この蝶番によれば、転動体は支持部の先端に転動部を設けたものとしたことにより、それぞれの支持部が衝突することなく、一対の転動体は転動したときに支持部が対峙する。なお、フランジ部は、扉の端面などに固定される。
【発明の効果】
【００３０】
本発明に係る蝶番によれば、可動駒の両側面上を転動する転動部を先端に設けた一対の転動体が連結体によって連結され、そして、中立位置から変位した可動駒を中立位置に復帰させるバネが転動体および／または可動駒と連結体との間に備えられていることにより、一直線上に並んだ状態の一対の転動体は、力が加えられると、バネが変形して、可動駒を介して揺動し、重なり合うように対峙した状態となり、力が加えられなくなると、バネの復元力によって、一直線上に並んだ状態に自動的に戻る。したがって、転動体が扉などに固定されると、開扉した扉などを自動的に閉扉することができ、扉などの利便性を向上させることができる。
【発明を実施するための最良の形態】
【００３１】
本発明に係る蝶番の実施形態について図１から図１２を参照しながら説明する。この蝶番２０は、例えば図１に示す折戸のような２枚の扉１１，１２を連結するために使用される。２枚の扉１１，１２は、鉛直姿勢に立設された２本の縦枠１，１と、この縦枠１，１の上端部に水平姿勢に架け渡された上枠２で囲まれた枠内を開閉する。上枠２の下面には、吊りレール３が固定されている。
【００３２】
扉１１，１２は、開閉しやすいように、幅の比が１：２とされている。ただし、使用状況に応じて、扉１１，１２の幅の比は１：１であってもよい。いずれにしても、各扉１１，１２は、図４に示すように、１枚の板状のパネル体１０によって構成され、対向側端面１０ａが樋形状に成形され、上下両端部の２か所（上端部のみ図示する。）に蝶番２０が取り付けられている。この蝶番２０は、必要に応じて中間部にも取り付けられる。また、蝶番２０は、図示したような上下両端縁ではなく、上下両端縁から中間寄りに取り付けられてもよい。
【００３３】
そして、扉１１，１２が突き合う対向側端面１０ａ，１０ａの間には、間隔があけられ、この間隔が遮蔽体４０によって塞がれている。この遮蔽体４０は、扉１１，１２との間に指などが巻き込まれないようにするためのもので、樋形状に形成された対向側端面１０ａに嵌る一対の円筒体または円柱体４１，４１を接合し、平面視が８字形状に形成されている。一対の円筒体または円柱体４１，４１は、溶接などによって一体化されていてもよいし、分離可能に当接しているだけであってもよい。
【００３４】
いずれにしても、円柱体４１，４１が接合した部分は、括れた形状となっている。さらに、円柱体４１，４１の端面には、蝶番２０に連結される軸４２，４２が各扉１１，１２の回転中心の位置に突設され、円環状に突出した嵌合部４３，４３が外周に設けられている。
【００３５】
そして、図１に示すように、幅の狭い扉（以下、「小扉」という。）１１の基端側は、軸受４，４によって一方の縦枠１に揺動自在に取り付けられている。また、幅の広い扉（以下、「大扉」という。）１２は、前記吊りレール３に吊り下げられる。そのため、大扉１２の上端面のほぼ中心に吊り車１４が取り付けられている。吊り車１４には、大扉１２の上端面に固定された軸１４ａと、この軸１４ａの上端に回動自在に取り付けられたローラ１４ｂが備えられている。
【００３６】
また、大扉１２には、ハンドル１５が取り付けられている。そして、このハンドル１５が押されまたは引かれると、吊り車１４の軸１４ａが回転軸となって、図２または図３に示すように、大扉１２が平面視で傾きながら小扉１１を押すように移動し、小扉１１を押すことにより、小扉１１が大扉１２と同じ側に平面視で傾く。完全に開扉されると、一方の縦枠１側で大扉１２と小扉１１とが重なり合った状態となる。
【００３７】
両扉１１，１２がこのように開閉するようにするため、両扉１１，１２に取り付けられた「第１の実施形態」における蝶番２０は、図４ないし図７に示すように、可動駒２１、転動体２２、そして連結体２４を備えている。
【００３８】
可動駒２１は、両側面２１ａ，２１ａおよび両相対面２１ｂ，２１ｂ（図面において上面と下面）が平行な直方体形状または立方体形状、または図示しないが、両側面２１ａ，２１ａがハ字形状で両相対面２１ｂ，２１ｂが平行な台形状とされている。また、両側面２１ａ，２１ａにはラックが形成されている。
【００３９】
そして、転動体２２は、前記可動駒２１の両側に配置される一対で構成されている。各転動体２２は、フランジ部２２ｆと支持部２２ｇとをＴ字形に一体成形したもので、支持部２２ｇの先端に、前記可動駒２１の各側面２１ａ上を回転しながら両方向に移動する半円筒状の転動部２２ａが設けられている。
【００４０】
フランジ部２２ｆの支持部２２ｇを突出していない側の面には、樋形状にされた扉１１，１２の対向側端面１０ａに接合するほぼ半円形の膨出部２２ｃ，２２ｃが上下に分離して設けられている。各膨出部２２ｃには、パネル体１０を固定するための小孔２２ｅ，２２ｅ…が形成され、ネジ３０によって転動体２２が扉１１，１２に固定される。
【００４１】
そして、各転動部２２ａの外周面には、前記可動駒２１の側面に形成されたラックと噛合するピニオンが形成され、各転動部２２ａの回転中心には連通孔２２ｈが形成されている。なお、可動駒２１が台形状に形成されているときは、転動部２２ａは、かさ歯車のように円錐台形状に形成される。
【００４２】
そして、連結体２４は、前記転動部２２ａを転動自在に連結するもので、中間部が可動駒２１の両相対面２１ｂ，２１ｂに当接し、両端部が可動駒２１の両側面２１ａ，２１ａから突出する一対の８字形状の連結板２４ａ，２４ａを備えている。連結板２４ａ,２４ａの中間部は、遮蔽体４０の端面形状と同じく括れており、中立位置の可動駒２１の両端が露出している。連結板２４ａ，２４ａの両端部は、転動体２２の膨出部２２ｃの周縁がわずかに食み出るようにフランジ部２２ｆと重なり合っている。
【００４３】
そして、連結板２４ａの両端部には、転動体２２の連通孔２２ｈと連通する連通孔２４ｈが形成されている。この両連通孔２２ｈ，２４ｈには、前記遮蔽体４０に突設された軸４２，４２が挿入され、両連結板２４ａ，２４ａと転動体２２とが連結される。
【００４４】
また、遮蔽体４０と接合する側の連結板２４ａには、遮蔽体４０の嵌合部４３，４３に嵌入する円環状の嵌合部２４ｂ，２４ｂが設けられている。すなわち、連結板２４ａに設けられた嵌合部２４ｂ，２４ｂが遮蔽体４０の嵌合部４３，４３に嵌入することによっても、連結板２４ａと遮蔽体４０とが連結される。
【００４５】
そして、可動駒２１の相対面２１ｂと連結体２４の連結板２４ａとの各接合面には、スライド自在な嵌合部２３が設けられている。この嵌合部２３は、例えば、可動駒２１の各相対面２１ｂに形成された突条２３ａと、この突条２３ａを嵌入するように連結板２４ａに形成された溝２３ｂとによって構成されている。逆に、可動駒２１の各相対面２１ｂに溝２３ｂが形成され、連結体２４の連結板２４ａに突条２３ａが形成されてもよい。いずれにしても、突条２３ａと溝２３ｂは、可動駒２１の両相対面２１ｂ，２１ｂの中心軸または偏心して可動駒２１の移動方向に１本または複数本形成される。
【００４６】
そして、前記可動駒２１および転動体２２と連結板２４ａとの間には、開扉した扉１１，１２を自動的に閉扉させるためのバネ２５が備えられている。そのため、連結体２４には、バネ２５を収納するための収納部２４ｄが設けられている。
【００４７】
第１の実施形態の収納部２４ｄは、図４ないし図６に示すように、連結板２４ａの内面に突設された突出部２４ｅと外周壁２４ｓとによって環状に一対設けられている。突出部２４ｅは、連通孔２４ｈを形成するように突設される。したがって、収納部２４ｄは、転動体２２の回転中心を中心として環状に形成される。
【００４８】
この収納部２４ｄに収納されるバネ２５は、捩りバネが使用される。捩りバネの各端部は、転動体２２のフランジ部２２ｆと連結板２４ａの各端部に形成された小孔２２ｋ，２４ｋ内に挿入され、動きが規制されている。なお、小孔２２ｋ，２４ｋは、上下に連続する場合を図示しているが、バネ２５の両端部に連続するように連続しない位置に形成される場合もある。
【００４９】
第１の実施形態における蝶番２０はこのように構成され、２つの転動体２２，２２は、可動駒２１を支点とし、図５および図６に示すように直線状に並んだ状態から斜交いの向きになった状態を経由して、対峙した状態とに向きが変えられる。このような蝶番２０は、ドアを構成している小扉１１と大扉１２とを連結して使用されるため、次に、扉１１，１２を開閉するドアの使用態様について図７ないし図１２を参照しながら説明する。
【００５０】
前記のように、各扉１１，１２の樋形状に形成された対向側端面１０ａに、蝶番２０の転動体２２に設けられた膨出部２２ｃがネジ３０によって固定され、さらに、遮蔽体４０の端面に突設された軸４２，４２が蝶番２０の両連結板２４ａ，２４ａの連通孔２４ｈ，２４ｈと両転動部２２ａ，２２ａの連通孔２２ｈ，２２ｈとに挿通され、かつ、遮蔽体４０の嵌合部４３と蝶番２０の連結体２４の一方の連結板２４ａに設けられた嵌合部２４ｂとが連結されることにより、遮蔽体４０が蝶番２０に連結され、両扉１１，１２間を塞ぐ状態とされている。
【００５１】
そして、蝶番２０によって連結された両扉１１，１２が図１および図２の実線に示すように閉扉しているときは、図７および図８に示すように、一対の転動体２２，２２と可動駒２１とが１列に並んだ状態となっている。また、各転動体２２，２２に設けられた転動部２２ａ，２２ａは、可動駒２１の各側面２１ａ，２１ａの中立位置に位置している。
【００５２】
このとき、転動体２２のフランジ部２２ｆと連結板２４ａの各端部に形成された小孔２２ｋ，２４ｋは、図６に示すように上下に並び、両小孔２２ｋ，２４ｋ内に両端部が挿入されたバネ２５には、何らの力も作用していない。また、両扉１１，１２間は、遮蔽体４０によって塞がれているため、両扉１１，１２の外側から内側が覗かれることはなく、また、臭いなどが漏出しないようにされている。
【００５３】
そして、開扉するため、大扉１２に取り付けられたハンドル１５が押されると、図２の一点鎖線、図９および図１０に示すように、大扉１２が吊り車１４の軸１４ａを回転軸として図面において時計方向に傾きつつ、一方の縦枠１の方へ移動する。このとき、大扉１２を固定した一方の転動体２２の転動部２２ａが可動駒２１の一方の側面２１ａ上を中立位置から一端側へ転動し、可動駒２１が移動する。
【００５４】
可動駒２１が移動することにより、他方の転動体２２の転動部２２ａが可動駒２１の他方の側面２１ａ上を中立位置から一端側へ転動する。すると、この他方の転動体２２が図面において反時計方向に傾き、小扉１１が一方の縦枠１に取り付けられた軸受４，４を回転軸として図面において反時計方向に傾く。
【００５５】
このとき、両扉１１，１２の対向側端面１０ａ，１０ａの各端縁が遮蔽体４０の括れている中間部分および連結体２４の括れている中間部分内に食い込むようになる。したがって、開扉している途中において、両扉１１，１２間は、遮蔽体４０によって塞がれているため、指などが巻き込まれることがない。
【００５６】
また、転動体２２が連結体２４に対して傾斜した姿勢となるため、転動体２２のフランジ部２２ｆと連結板２４ａの各端部に形成された小孔２２ｋ，２４ｋは、図１０に示すように連続していない状態となる。したがって、両小孔２２ｋ，２４ｋ内に両端部が挿入されたバネは、捩られた状態となる。
【００５７】
このようにして、一対の転動体２２，２２に固定された大扉１２と小扉１１は、図２の一点鎖線、図９および図１０に示すように、屈曲し、一方の縦枠１側に近寄る。さらに、ハンドル１５が押されると、図２の二点鎖線、図１１および図１２に示すように、大扉１２と小扉１１とが重ね合わされ、完全に開扉される。このとき、両小孔２２ｋ，２４ｋは最大限離隔し、バネ２５は、最大限に捩られた状態となる。
【００５８】
そして、ハンドル１５が押されていた状態から開放されると、換言すれば、力が加えられなくなると、バネ２５の復元力により、バネ２５の両端部が挿入されている両小孔２２ｋ，２４ｋには、連続した状態に戻ろうとする力が加えられる。したがって、大扉１２を固定した一方の転動体２２の転動部２２ａが可動駒２１一方の側面２１ａ上を一端側から中立位置へ転動し、同時に、小扉１１を固定した他方の転動体２２の転動部２２ａが可動駒２１の他方の側面２１ａ上を一端側から中立位置へ転動する。このようにして、一対の転動体２２，２２と可動駒２１とが１列に並ぶことにより、両扉１１，１２は自動的に閉扉する。
【００５９】
この一連の動作において、可動駒２１の側面２１ａに形成されたラックと他方の転動体２２の転動部２２ａの外周面に形成されたピニオンとが噛合していることから、この転動部２２ａは、可動駒２１上を滑ることなく転動し、両扉１１，１２はスムーズに開閉される。
【００６０】
加えて、一方の転動体２２の転動部２２ａから可動駒２１に加えられる荷重は、嵌合部２３が緩衝材となり、小さくされて他方の転動体２２へ加えられる。すなわち、可動駒２１の相対面２１ｂ，２１ｂに形成された突条２３ａ，２３ａが連結体２４の連結板２４ａ，２４ａに形成された溝２４ｃ，２４ｃに嵌入していることから、一方の転動体２２からの荷重が連結体２４にも加えられ、この荷重が小さくされて他方の転動体２２の転動部２２ａに加えられる。よって、ドアが長期間、開閉されても、ラックやピニオンは破損することがない。
【００６１】
また、このドアは、ハンドル１５を引くことによって、前記と反対方向にも開扉することができる。すなわち、ハンドル１５を引くと、図３の一点鎖線に示すように、大扉１２が吊り車１４の軸を回転軸として図面において反時計方向に傾きつつ、一方の縦枠１の方へ移動する。このとき、大扉１２を固定した一方の転動体２２の一方の転動部２２ａが可動駒２１の一方の側面２１ａ上を中立位置から他端側へ転動し、可動駒２１が移動する。
【００６２】
可動駒２１が移動することにより、他方の転動体２２の転動部２２ａが可動駒２１の他方の面上を中立位置から他端側へ転動する。すると、この他方の転動部２２ａを設けた他方の転動体２２が、前記と反対方向に傾き、小扉１１が一方の縦枠１に取り付けられた軸受４，４を回転軸として前記と反対方向に傾く。
【００６３】
さらにハンドル１５が引かれると、一対の転動体２２，２２に固定された大扉１２と小扉１１は、図３の二点鎖線に示すように重ね合わされた状態となって開扉される。このとき、転動体２２のフランジ部２２ｆと連結板２４ａの各端部に形成された小孔２２ｋ，２４ｋは、前記と逆方向に連続していない状態となる。したがって、両小孔２２ｋ，２４ｋ内に両端部が挿入されたバネは、前記と逆方向に捩られた状態となる。この反対方向への開扉に際しても、両扉１１，１２間は、遮蔽体４０によって塞がれた状態が継続され、指などが巻き込まれることがない。
【００６４】
そして、ハンドル１５が引かれた状態から開放されると、換言すれば、力が加えられなくなると、バネ２５の復元力により、両小孔２２ｋ，２４ｋには、上下に連続した状態になろうとする力が加えられる。したがって、大扉１２を固定した一方の転動体２２の転動部２２ａが可動駒２１一方の側面２１ａ上を他端側から中立位置へ転動し、同時に、小扉１１を固定した他方の転動体２２の転動部２２ａが可動駒２１の他方の側面２１ａ上を他端側から中立位置へ転動する。このようにして、一対の転動体２２，２２と可動駒２１とが１列に並ぶことにより、両扉１１，１２は自動的に閉扉する。
【００６５】
このように、第１の実施形態におけるドアは、両方向に開扉され、自動的に閉扉することができる。また、開扉した大扉１２と小扉１１とは、完全に重なり合った状態とすることができるため、このドアが例えば病院のトイレで採用されると、車椅子の使用者がトイレ内で倒れても救出することができる。
【００６６】
次に、本発明に係る蝶番２０の「第２の実施形態」について、図１３および図１４を参照しながら説明する。この蝶番２０は、下側の連結体２４の収納部２４ｄを第１の実施形態よりも深くし、この収納部２４ｄ内に収納されるバネ２５を第１の実施形態よりも長くしたことを特徴としている。バネ２５は、長くなることにより、扉１１，１２の開閉の際に歪みが小さくなり、疲労しにくくなることから、度重なる使用にも耐えられるようになる。
【００６７】
この第２の実施形態の蝶番２０に固定された扉１１，１２も、力が加えられることによって開扉されると、第１の実施形態と同じようにバネ２５が捩られ、力が加えられなくなることによってバネ２５の復元力によって自動的に閉扉する。なお、図示しないが、上側の連結体２４の収納部２４ｄも第１の実施形態よりも長くし、両連結体２４，２４の収納部２４ｄ，２４ｄに収納されるバネ２５，２５とも第１の実施形態よりも長いものとしてもよい。
【００６８】
次に、本発明に係る蝶番２０の「第３の実施形態」について、図１５および図１６を参照しながら説明する。この蝶番２０は、第２の実施形態と同様、バネ２５が第１の実施形態よりも長くしたものであり、バネ２５の収納部２４ｄを連結体２４の連結板２４ａと遮蔽体４０との間に設けたことを特徴としている。
【００６９】
したがって、この遮蔽体４０は、円筒体４１によって構成されているときは端縁から奥まって端板４４が備えられ、円柱体４１によって構成されているときは端部に奥まった凹陥部形成されている。この端板４４には、バネ２５の一端部を挿入するための小孔４４ｋが形成されている。ただし、円筒体４１の端縁からスリットを形成し、スリットの奥端部を折曲することによってバネ２５の一端部を係止するようにしてもよい。
【００７０】
いずれにしても、遮蔽体４０は、前記のように回転しないため、バネ２５の一端部が小孔４４ｋ内に挿入されることにより、遮蔽体４０に拘束された状態となる。また、バネ２５の他端部は、転動体２２のフランジ部２２ｆに形成された小孔２２ｋ内に挿入される。したがって、このバネ２５の他端部は、一端部よりも長く形成されている。また、バネ２５の他端部が転動体２２の揺動によって移動できるように、遮蔽体４０と対向する連結体２４の連結板２４ａには、半円形の貫通孔２４ｎが形成されている。
【００７１】
そして、扉１１，１２は、力が加えられることによって開扉して、転動体２２が転動することによってバネ２５が捩られる。このとき、バネ２５の他端部は、連結体２４に形成された貫通孔２４ｎ内を移動する。そして、力が加えられなくなると、第１の実施形態と同じように、バネ２５の復元力によって自動的に閉扉する。このときも、バネ２５の他端部は当然、連結体２４に形成された貫通孔２４ｎ内を移動する。このようなバネ２５は、第１の実施形態よりも長くされ、歪みが小さくなることから、疲労しにくく、長寿命化が図られる。
【００７２】
次に、本発明に係る蝶番２０の「第４の実施形態」について、図１７ないし図２１を参照しながら説明する。この蝶番２０は、前記の第１ないし第３の実施形態と異なり、図１７および図１８に示すように、両扉１１，１２間が遮蔽体４０によって塞がれないドアに使用されるもので、両連結体２４，２４がトラック形状とされている。ただし、各連結体２４が可動駒２１および転動体２２と接合する内側には、第１ないし第３の実施形態と同じく、バネ２５を収納する収納部２４ｄが突出部２４ｅと周壁２４ｓとの間に設けられ、バネ２５の一端部を挿入する小孔２４ｋが形成されている。
【００７３】
また、この蝶番２０は、遮蔽体４０の嵌合部４３と連結するための嵌合部が形成されず、両連結体２４，２４と転動体２２とは、ピン２４ｂによって連結されている。そして、転動体２２のフランジ部２２ｆがネジ３０によって各扉１１，１２の対向側端面１０ａ，１０ａに固定される。
【００７４】
この転動体２２を固定する部分の扉１１，１２の対向側端面１０ａ，１０ａが樋形状であれば、フランジ部２２ｆには半円形の膨出部が設けられるが、図示したように扉１１，１２の対向側端面１０ａ，１０ａが平坦であれば、フランジ部２２ｆは膨出部が設けられないで平坦な形状とされている。そして、各扉１１，１２の対向側端面１０ａ，１０ａには、半円筒状のカバー１０ｂ，１０ｂが取り付けられ、各扉１１，１２間に隙間が生じないようにされている。
【００７５】
このようなドアであっても、開扉した扉１１，１２は自動的に閉扉される。すなわち、両扉１１、１２は、図１９に示すように閉扉した状態から大扉１２が押されることにより、図２０に示すように両扉１１，１２が傾斜し、図２１に示すように両扉１１，１２が重なり合って完全に開扉する。また、図示しないが、大扉１２が引かれることによっても、両扉１１、１２は傾斜して完全に開扉する。
【００７６】
いずれにしても、開扉することによって、小孔２４ｋ，２４ｋが連続しなくなることから、バネ２５は第１の実施形態において説明したように捩られた状態となる。したがって、大扉１２が押されなくなり、または引かれなくなると、バネ２５の復元力によって、自動的に閉扉する。
【００７７】
なお、第４の実施形態においても、第２の実施形態において説明したように、連結体２４の収納部を前記よりも深くし、前記よりも長いバネ２５を収納することにより、バネ２５の長寿命化を図るようにしてもよい。
【００７８】
次に、本発明に係る蝶番２０の「第５の実施形態」について図２２ないし図２６を参照しながら説明する。この蝶番２０は、第１の実施形態と同様、両扉１１，１２間が遮蔽体４０によって塞がれるドアに使用されるが、バネ２５が圧縮バネまたは引張りバネとされる。このバネ２５は、連結体２４に設けられた収納部２４ｄ内に一対ごと、すなわち２本が直列に配置されて収納されている。
【００７９】
収納部２４ｄは、図２２および図２３に示すように、可動駒２１の相対面２１ｂに対向する連結体２４のほぼ中央部に一対設けられる。この収納部２４ｄは、突出部２４ｅが幅方向に直線状に突設されることにより、この突出部２４ｅと周壁２４ｓとの間に長方形状に形成される。したがって、収納部２４ｄは、各連結体２４の各片面に２か所ずつ、両連結体２４，２４で合計４か所に設けられ、バネ２５は合計８本備えられる。なお、バネ２５が引張りバネである場合は、バネ２５の両端部が引っ掛けられる係止部（図示せず）が連結体２４に設けられる。
【００８０】
また、可動駒２１の相対面２１ｂには、前記収納部２４ｄ内に入り込む突出片２１ｍが突設されている。この突出片２１ｍは、相対面２１ｂの幅方向の中心に突設され、一対のバネ２５の間に挟み込まれる状態とされる。このような突出片２１ｍは、各相対面２１ｂに２か所、両相対面２１ｂ，２１ｂで４か所に備えられる。
【００８１】
そして、連結体２４は、８字形状に形成され、下側の連結体には、遮蔽体４０の嵌合部４３，４３を嵌入するための円環状の嵌合部２４ｂ，２４ｂが設けられている。このような連結体２４と転動体２２の連通孔２４ｈ，２２ｈに遮蔽体４０の軸４２が挿入されることにより、連結体２４と転動体２２とが連結される。
【００８２】
そして、蝶番２０の転動体２２のフランジ部２２ｆに設けられた膨出部２２ｃが各扉１１，１２の樋形状に形成された対向側端面１０ａ，１０ａにネジ３０によって固定され、ドアとして使用される。
【００８３】
このドアは、図２４に示すように閉扉している状態において、両扉１１，１２および両転動体２２が可動駒２１を挟んで一列に並んでいる。この状態において、可動駒２１に突設された各突出片２１ｍは、各収納部２４ｄ内の中心に位置しており、各バネ２５は、圧縮も引張りもされていない。
【００８４】
そして、大扉１２が押されると、図２５に示すように、両扉１１，１２が傾斜する。このとき、各突出片２１ｍが収納部２４ｄ内を両扉１１，１２の拡開側（図面において下側）へ移動する。すると、バネ２５が圧縮バネであると、下側のバネ２５が圧縮され、上側のバネ２５が拘束されない状態となる。また、バネ２５が引張りバネであると、上側のバネ２５が引っ張られ、下側のバネ２５が拘束されない状態となる。
【００８５】
そして、大扉１２がさらに押されて完全に開扉すると、図２６に示すように両扉１１，１２が重なり合う。このとき、各突出片２１ｍは、収納部２４ｄ内を図面において最大限下側へ移動する。すると、バネ２５が圧縮バネであると、下側が最大限圧縮され、バネ２５が引張りバネであると、上側が最大限引っ張られる。
【００８６】
そして、大扉１２が押されなくなると、バネ２５の復元力により、突出片２１ｍには元の中立位置に押し戻すような力が加えられる。突出片２１ｍが可動駒２１に突設され、しかも、可動駒２１の側面２１ａと転動体２２の転動部２２ａとが噛合していることから、突出片２１ｍが押し戻されることによって、転動体２２が転動する。そして、可動駒２１が中立位置に戻ると、両転動体２２，２２と可動駒２１とが可動駒２１を挟んで直線状に並び、両扉１１，１２は完全に閉扉する。このようにして、開扉した扉１１，１２は自動的に閉扉される。
【００８７】
また、大扉１２が引かれることによって、前記と逆方向に開扉する場合は、突出片２１ｍが前記と逆方向に移動し、バネ２５が逆方向に圧縮され、または引っ張られる。そして、大扉１２が引かれなくなると、前記と同様、開扉した両扉１１，１２がバネ２５の復元力によって閉扉する。
【００８８】
いずれにしても、閉扉した状態から開扉し、閉扉するまでの一連の状態において、両扉１１，１２間には、遮蔽体４０が塞がれており、遮蔽体４０が動かないことから、両扉１１，１２間に指などが巻き込まれることがない。
【００８９】
次に、本発明に係る蝶番２０の「第６の実施形態」について、図２７ないし図３１を参照しながら説明する。この蝶番２０は、第５の実施形態で説明したような圧縮バネまたは引張りバネのようなバネ２５を備え、第４の実施形態で説明したような両扉１１，１２間が遮蔽体４０によって塞がれないドアに使用される。
【００９０】
したがって、この蝶番２０は、図２７および図２８に示すように、両連結体２４，２４がトラック形状とされ、片側の連結体２４には遮蔽体４０の嵌合部４３を連結する嵌合部が形成されず、両連結体２４，２４と転動体２２とは、ピン２４ｂによって連結される。また、両連結体２４，２４が可動駒２１の相対面２１ｂと対向するほぼ中央部には、バネ２５を収納する収納部２４ｄが直線状に一対設けられている。この収納部２４ｄは、突出部２４ｅと周壁２４ｓとの間に設けられている。そして、可動駒２１の相対面２１ｂには、前記収納部２４ｄ内に入り込む突出片２１ｍが幅方向の中心に突設されている。
【００９１】
また、転動体２２のフランジ部２２ｆがネジ３０によって各扉１１，１２の対向側端面１０ａ，１０ａに固定される。この転動体２２を固定する部分の扉１１，１２の対向側端面１０ａ，１０ａが樋形状であれば、フランジ部２２ｆには半円形の膨出部が設けられるが、図示したように扉１１，１２の対向側端面１０ａ，１０ａが平坦であれば、フランジ部２２ｆは平坦な形状とされている。そして、各扉１１，１２の対向側端面１０ａ，１０ａには、半円筒状のカバー１０ｂ，１０ｂが取り付けられ、各扉１１，１２間に隙間が生じないようにされている。
【００９２】
このようなドアであっても、図２９に示すように両扉１１，１２が閉扉した状態においては、各突出片２１ｍが収納部２４ｄ内の中心に位置し、バネ２５には圧縮も引張りもされていない。そして、大扉１２が押されると、図３０に示すように両扉１１，１２が傾斜し、さらに、図３１に示すように両扉１１，１２が重なり合って完全に開扉される。
【００９３】
このとき、各突出片２１ｍが収容部内を両扉１１，１２の拡開側（図面において下側）へ移動する。すると、バネ２５が圧縮バネであると、下側のバネ２５が圧縮され、上側のバネ２５が拘束されない状態となる。また、バネ２５が引張りバネであると、上側のバネ２５が引っ張られ、下側のバネ２５が拘束されない状態となる。
【００９４】
そして、大扉１２が押されなくなると、バネ２５の復元力により、突出片２１ｍには元の中立位置に押し戻すような力が加えられる。そして、両転動体２２，２２が転動することによって、両転動体２２，２２と可動駒２１とが直線状に並ぶと、両扉１１，１２は閉扉した状態となる。
【００９５】
また、大扉１２が引かれることによって開扉する場合は、突出片２１ｍが前記と逆方向に移動し、バネ２５が逆方向に圧縮され、または引っ張られる。そして、大扉１２が引かれなくなると、開扉した両扉１１，１２がバネ２５の復元力によって転動体２２が転動し、両転動体２２，２２と可動駒２１とが直線状に並ぶことによって、両扉１１，１２が閉扉した状態となる。
【００９６】
次に、本発明に係る蝶番２０の「第７の実施形態」について、図３２ないし図３６を参照しながら説明する。この蝶番２０は、第５の実施形態と同様、両扉１１，１２間が遮蔽体４０によって塞がれるドアに使用され、バネ２５として圧縮バネまたは引張りバネが使用される。
【００９７】
ただし、収納部２４ｄは、図３２に示すように、第５の実施形態と異なり、転動体２２と重なる連結体２４の両端部に転動体２２の回転中心を中心として円弧状に一対設けられている。この収納部２４ｄは、円弧状に突設された突出部２４ｅと周壁２４ｓとによって間仕切られ、バネ２５が円弧状に撓曲されて収納されている。この収納部２４ｄは、各連結体２４に２か所、両連結体２４，２４で合計４か所に設けられ、バネ２５は合計８本備えられる。なお、バネ２５が引張りバネである場合は、バネ２５の両端部が引っ掛けられる係止部（図示せず）が連結体２４に設けられる。
【００９８】
また、転動体２２の支持部２２ｇには、前記収納部２４ｄ内に入り込む突出片２２ｍが突設されている。この突出片２２ｍは、転動体２２が転動部２２ａを中心に揺動することによって、収納部２４ｄ内で揺動する。また、各突出片２２ｍは、各収納部２４ｄ内の一対のバネ２５，２５の間に挟み込まれる状態となる。なお、バネ２５が引張りバネである場合は、バネ２５の両端部が引っ掛けられる係止部（図示せず）が連結体２４に設けられる。
【００９９】
また、連結体２４は、８字形状に形成され、下側の連結体には、遮蔽体４０の嵌合部４３，４３を嵌入するための円環状の嵌合部２４ｂ，２４ｂが設けられている。そして、連結体２４と転動体２２の連通孔２４ｈ，２２ｈに遮蔽体４０の軸４２が挿入されることにより、連結体２４と転動体２２とが連結される。
【０１００】
そして、蝶番２０の転動体２２のフランジ部２２ｆに設けられた膨出部２２ｃが各扉１１，１２の樋形状に形成された対向側端面１０ａ，１０ａにネジ３０によって固定され、ドアとして使用される。
【０１０１】
すなわち、ドアは、図３４に示すように、閉扉している状態において、両扉１１，１２および両転動体２２が一列に並んでいる。この状態において、転動体２２に突設された各突出片２２ｍは、各収納部２４ｄ内の中心に位置しており、各バネ２５は、圧縮も引張りもされていない。
【０１０２】
そして、大扉１２が押されると、図３５に示すように、両扉１１，１２が傾斜する。このとき、転動体２２も傾斜するため、突出片２２ｍが収納部２４ｄ内を両扉１１，１２の近接側（図面において上側）へ移動する。すると、バネ２５が圧縮バネであると、上側のバネ２５が圧縮され、下側のバネ２５が拘束されない状態となる。また、バネ２５が引張りバネであると、下側のバネ２５が引っ張られ、上側のバネ２５が拘束されない状態となる。
【０１０３】
そして、大扉１２がさらに押されて完全に開扉すると、図３６に示すように両扉１１，１２が重なり合う。このとき、各突出片２２ｍは、収納部２４ｄ内を図面において最大限上側へ移動し、バネ２５が最大限圧縮され、または引っ張られる。
【０１０４】
そして、大扉１２が押されなくなると、バネ２５の復元力により、突出片２２ｍには元の中立位置に押し戻すような力が加えられる。突出片２２ｍは、転動体２２の支持部２２ｇに突設され、しかも、可動駒２１の側面２１ａと転動体２２の転動部２２ａとが噛合していることから、突出片２２ｍが押し戻されることによって、転動体２２が転動する。そして、突出片２２ｍが中立位置に戻ると、両転動体２２，２２と可動駒２１とが可動駒２１を挟んで直線状に並び、開扉した扉１１，１２は自動的に閉扉される。
【０１０５】
また、大扉１２が引かれることによって、前記と逆方向に開扉する場合は、突出片２２ｍが前記と逆方向に移動し、バネ２５が逆方向に圧縮され、または引っ張られる。そして、大扉１２が引かれなくなると、前記と同様、開扉した両扉１１，１２がバネ２５の復元力によって閉扉する。
【０１０６】
いずれにしても、閉扉した状態から開扉し、閉扉するまでの一連の状態において、両扉１１，１２間には、遮蔽体４０が塞がれており、遮蔽体４０が動かないことから、両扉１１，１２間に指などが巻き込まれることがない。
【０１０７】
次に、本発明に係る蝶番２０の「第８の実施形態」について、図３７ないし図４１を参照しながら説明する。この蝶番２０は、第７の実施形態で説明したような圧縮バネまたは引張りバネのようなバネ２５を備え、第４および第６の実施形態で説明したような両扉１１，１２間が遮蔽体４０によって塞がれないドアに使用される。
【０１０８】
したがって、この蝶番２０は、図３７および図３８に示すように、両連結体２４，２４がトラック形状とされ、片側の連結体２４には遮蔽体４０の嵌合部４３を連結する嵌合部が形成されず、両連結体２４，２４と転動体２２とは、ピン２４ｂによって連結される。また、収納部２４ｄは、転動体２２と重なる連結体２４の両端部に円弧状に設けられている。この収納部２４ｄは、突設された突出部２４ｅと周壁２４ｓとの間に一対設けられ、バネ２５が円弧状に撓曲して収納される。
【０１０９】
そして、転動体２２の支持部２２ｇには、前記収納部２４ｄ内に入り込む突出片２２ｍが突設されている。この突出片２２ｍは、転動体２２が転動部２２ａを中心に揺動することによって、収納部２４ｄ内で揺動する。また、各突出片２２ｍは、各収納部２４ｄ内の一対のバネ２５，２５の間に挟み込まれる。
【０１１０】
そして、転動体２２のフランジ部２２ｆがネジ３０によって各扉１１，１２の対向側端面１０ａ，１０ａに固定される。この転動体２２を固定する部分の扉１１，１２の対向側端面１０ａ，１０ａが樋形状であれば、フランジ部２２ｆには半円形の膨出部が設けられるが、図示したように扉１１，１２の対向側端面１０ａ，１０ａが平坦であれば、フランジ部２２ｆは平坦な形状とされている。そして、各扉１１，１２の対向側端面１０ａ，１０ａには、半円筒状のカバー１０ｂ，１０ｂが取り付けられ、各扉１１，１２間に隙間が生じないようにされている。
【０１１１】
このようなドアであっても、図３９に示すように両扉１１，１２が閉扉した状態においては、各突出片２２ｍが収納部２４ｄ内の中心に位置し、バネ２５には圧縮も引張りもされていない。そして、大扉１２が押されると、図４０に示すように両扉１１，１２が傾斜し、さらに、図４１に示すように両扉１１，１２が重なり合って完全に開扉される。
【０１１２】
このとき、各突出片２２ｍが収容部内を両扉１１，１２の近接側（図面において上側）へ移動する。すると、バネ２５が圧縮バネであると、上側のバネ２５が圧縮され、下側のバネ２５が拘束されない状態となる。また、バネ２５が引張りバネであると、下側のバネ２５が引っ張られ、上側のバネ２５が拘束されない状態となる。
【０１１３】
そして、大扉１２が押されなくなると、バネ２５の復元力により、突出片２２ｍには元の中立位置に押し戻すような力が加えられる。突出片２２ｍは、転動体２２の支持部２２ｇに突設され、しかも、可動駒２１の側面２１ａと転動体２２の転動部２２ａとが噛合していることから、突出片２２ｍが押し戻されることによって、転動体２２が転動する。そして、突出片２２ｍが中立位置に戻ると、両転動体２２，２２と可動駒２１とが可動駒２１を挟んで直線状に並び、両扉１１，１２は自動的に閉扉される。
【０１１４】
また、大扉１２が引かれることによって、前記と逆方向に開扉する場合は、突出片２２ｍが前記と逆方向に移動し、バネ２５が逆方向に圧縮され、または引っ張られる。そして、大扉１２が引かれなくなると、前記と同様、開扉した両扉１１，１２がバネ２５の復元力によって閉扉する。
【０１１５】
なお、本発明は、前記実施の形態に限定することなく、特許請求の範囲に記載された発明特定事項の範囲内において種々変更することができる。例えば、蝶番２０は、可動駒２１の両側面２１ａと転動部２２ａの外周面をゴムや粗面その他の摩擦係数の大きな材質とすることにより、可動駒２１の両面にラックを形成せず、転動部２２ａの外周面にラックを形成しないようにしてもよい。
【０１１６】
また、連結体２４は、連結板２４ａ，２４ａとピン２４ｂ，２４ｂとの組合せではなく、両端部が回動軸を貫通するコ字形のシャフトなどによって構成してもよい。さらに、蝶番２０は、折戸の例で説明した五角形状の転動体２２と、Ｔ字形状またはＬ字形状の転動体２２とを組み合わせたものとしてもよい。
【０１１７】
また、蝶番２０は、前記のように２枚の扉１１，１２を連結するだけでなく、１枚の扉と壁とを連結する場合にも使用することができる。この場合も、開扉した扉は自動的に閉扉される。さらに蝶番２０は、扉以外に、小物入れや家具などの蓋、間仕切りなどを構成している各種のパネル体に取り付けることもできる。
【産業上の利用可能性】
【０１１８】
本発明に係る蝶番は、折戸や自在戸のようなドアだけでなく、２枚のパネル体が山折となって開くような蓋、靴箱や箪笥などの扉、大部屋を小部屋に仕切るための間仕切りなどとして有効に使用することができる。
【図面の簡単な説明】
【０１１９】
【図１】本発明の実施形態に係る蝶番を含むドアの一部断面斜視図である。
【図２】本発明の実施形態に係る蝶番を含むドアの一部断面平面図である。
【図３】本発明の実施形態に係る蝶番を含むドアの一部断面平面図である。
【図４】本発明の第１の実施形態に係るドアの分解斜視図である。
【図５】本発明の第１の実施形態に係る蝶番の斜視図である。
【図６】本発明の第１の実施形態に係る蝶番の断面正面図である。
【図７】本発明の第１の実施形態に係る蝶番を含むドアの斜視図である。
【図８】本発明の第１の実施形態に係る蝶番を含むドアの平面図である。
【図９】本発明の第１の実施形態に係る蝶番を含むドアの斜視図である。
【図１０】本発明の第１の実施形態に係る蝶番を含むドアの平面図である。
【図１１】本発明の第１の実施形態に係る蝶番を含むドアの斜視図である。
【図１２】本発明の第１の実施形態に係る蝶番を含むドアの平面図である。
【図１３】本発明の第２の実施形態に係る蝶番の分解斜視図である。
【図１４】本発明の第２の実施形態に係る蝶番の断面正面図である。
【図１５】本発明の第３の実施形態に係る蝶番の分解斜視図である。
【図１６】本発明の第３の実施形態に係る蝶番の断面正面図である。
【図１７】本発明の第４の実施形態に係る蝶番の分解斜視図である。
【図１８】本発明の第４の実施形態に係る蝶番の断面正面図である。
【図１９】本発明の第４の実施形態に係る蝶番の平面図である。
【図２０】本発明の第４の実施形態に係る蝶番の平面図である。
【図２１】本発明の第４の実施形態に係る蝶番の平面図である。
【図２２】本発明の第５の実施形態に係る蝶番の分解斜視図である。
【図２３】本発明の第５の実施形態に係る蝶番の断面正面図である。
【図２４】本発明の第５の実施形態に係る蝶番の平面図である。
【図２５】本発明の第５の実施形態に係る蝶番の平面図である。
【図２６】本発明の第５の実施形態に係る蝶番の平面図である。
【図２７】本発明の第６の実施形態に係る蝶番の分解斜視図である。
【図２８】本発明の第６の実施形態に係る蝶番の断面正面図である。
【図２９】本発明の第６の実施形態に係る蝶番の平面図である。
【図３０】本発明の第６の実施形態に係る蝶番の平面図である。
【図３１】本発明の第６の実施形態に係る蝶番の平面図である。
【図３２】本発明の第７の実施形態に係る蝶番の分解斜視図である。
【図３３】本発明の第７の実施形態に係る蝶番の断面正面である。
【図３４】本発明の第７の実施形態に係る蝶番の平面図である。
【図３５】本発明の第７の実施形態に係る蝶番の平面図である。
【図３６】本発明の第７の実施形態に係る蝶番の平面図である。
【図３７】本発明の第８の実施形態に係る蝶番の分解斜視図である。
【図３８】本発明の第８の実施形態に係る蝶番の断面正面である。
【図３９】本発明の第８の実施形態に係る蝶番の平面図である。
【図４０】本発明の第８の実施形態に係る蝶番の平面図である。
【図４１】本発明の第８の実施形態に係る蝶番の平面図である。
【図４２】従来のドアを含む正面図である。
【図４３】従来の蝶番を含むドアの一部断面平面である。
【図４４】従来のドアの断面平面である。
【符号の説明】
【０１２０】
２０……蝶番
２１……可動駒
２１ａ…側面
２１ｂ…相対面
２１ｍ…突出片
２２……転動体
２２ｃ…取付板
２２ａ…転動部
２２ｍ…突出片
２２ｆ…フランジ部
２３……嵌合部
２４……連結体
２４ａ…連結板
２４ｂ…ピン
２４ｄ…収納部
２５……バネ
【図１】
2007332633.tif 000003
【図２】
2007332633.tif 000004
【図３】
2007332633.tif 000005
【図４】
2007332633.tif 000006
【図５】
2007332633.tif 000007
【図６】
2007332633.tif 000008
【図７】
2007332633.tif 000009
【図８】
2007332633.tif 000010
【図９】
2007332633.tif 000011
【図１０】
2007332633.tif 000012
【図１１】
2007332633.tif 000013
【図１２】
2007332633.tif 000014
【図１３】
2007332633.tif 000015
【図１４】
2007332633.tif 000016
【図１５】
2007332633.tif 000017
【図１６】
2007332633.tif 000018
【図１７】
2007332633.tif 000019
【図１８】
2007332633.tif 000020
【図１９】
2007332633.tif 000021
【図２０】
2007332633.tif 000022
【図２１】
2007332633.tif 000023
【図２２】
2007332633.tif 000024
【図２３】
2007332633.tif 000025
【図２４】
2007332633.tif 000026
【図２５】
2007332633.tif 000027
【図２６】
2007332633.tif 000028
【図２７】
2007332633.tif 000029
【図２８】
2007332633.tif 000030
【図２９】
2007332633.tif 000031
【図３０】
2007332633.tif 000032
【図３１】
2007332633.tif 000033
【図３２】
2007332633.tif 000034
【図３３】
2007332633.tif 000035
【図３４】
2007332633.tif 000036
【図３５】
2007332633.tif 000037
【図３６】
2007332633.tif 000038
【図３７】
2007332633.tif 000039
【図３８】
2007332633.tif 000040
【図３９】
2007332633.tif 000041
【図４０】
2007332633.tif 000042
【図４１】
2007332633.tif 000043
【図４２】
2007332633.tif 000044
【図４３】
2007332633.tif 000045
【図４４】
2007332633.tif 000046